(57)【要約】【課題】高精細で表示品位の高い電気光学装置、電気光学装置の駆動方法及び電子機器を提供する。【解決手段】表示パネル１１は４つの第１〜第４表示パネル部１１ａ〜１１ｄとから構成されている。第１〜第４表示パネル部１１ａ〜１１ｄには、走査線とデータ線との交差部に対応する位置に有機エレクトロルミネッセンス素子を含む画素回路が形成されている。また、第１〜第４表示パネル部１１ａ〜１１ｄ毎に、それぞれ対応する第１〜第４データ線駆動回路１２ａ〜１２ｄと第１〜第４走査線駆動回路１３ａ〜１３ｄとが設けられている。そして、第１〜第４走査線駆動回路１３ａ〜１３ｄによって、第１〜第４表示パネル部１１ａ〜１１ｄ毎に、有機エレクトロルミネッセンス素子の発光期間を変えて、各表示パネル部１１ａ〜１１ｄとの間での輝度差を見かけ上無くす。【選択図】        図２
2005049822.tif 000002
【特許請求の範囲】
【請求項１】
複数の走査線と、複数のデータ線と、前記複数の走査線と前記複数のデータ線との交差部に対応する位置に配置された電気光学素子を含む複数の画素とを含む複数の表示パネル部の集合体よりなる表示パネルと、
前記複数の表示パネル部の各々に設けられ、その対応する表示パネル部に設けられた前記複数の画素の発光階調を表す画像データに対応するデータ信号を、前記複数のデータ線を介して対応する前記画素に供給するデータ線駆動回路と、
前記複数の表示パネル部の各々に設けられ、その対応する表示パネル部に設けられた前記複数の走査線を適宜選択し、前記対応する表示パネル部と他の表示パネル部とでは前記電気光学素子の発光期間を相違させるように制御する走査線駆動回路と
を備えたことを特徴とする電気光学装置。
【請求項２】
請求項１に記載の電気光学装置において、
前記複数の表示パネル部の各々に設けられた前記各走査線駆動回路は、各表示パネル部毎の発光輝度差がなくなるように、対応する前記電気光学素子の発光期間を制御することを特徴とする電気光学装置。
【請求項３】
請求項１又は２に記載の電気光学装置において、
前記各走査線駆動回路が制御する前記電気光学素子の発光期間は、その電気光学素子を含む画素に対応するデータ線駆動回路の特性と、基準となるデータ線駆動回路の特性とを比較して一定の係数を求め、その係数に基づいてそれぞれ決定することを特徴とする電気光学装置。
【請求項４】
請求項１乃至３のいずれか１つに記載の電気光学装置において、
前記発光期間のデータを記憶するメモリを備え、前記各走査線駆動回路は前記メモリに記憶されたそれぞれ対応する発光期間のデータに基づいて発光期間を決定することを特徴とした電気光学装置。
【請求項５】
請求項１乃至４のいずれか１つに記載の電気光学装置において、
前記複数の表示パネル部の各々に設けられた前記データ線駆動回路は、前記複数の表示パネル部からなる前記表示パネルを挟んでそれぞれ相対向する側であってそれぞれ対応する表示パネル部に隣接する側に配置され、それぞれ対応する表示パネル部に設けられた前記複数のデータ線を介して対応する前記画素にデータ信号を供給するようにしたことを特徴とする電気光学装置。
【請求項６】
請求項５に記載の電気光学装置において、
前記表示パネルの同じ側に設けられた複数のデータ線駆動回路は、前記データ信号を生成するための基準電流が同一レベルの電流であることを特徴とする電気光学装置。
【請求項７】
請求項６に記載の電気光学装置において、
前記表示パネルの一側に設けられた複数のデータ線駆動回路の前記基準電流と、前記表示パネルの他側に設けられた複数のデータ線駆動回路の前記基準電流は異なることを特徴とする電気光学装置。
【請求項８】
請求項６又は７に記載の電気光学装置において、
前記表示パネルの同じ側に設けられた複数のデータ線駆動回路は、基準電流源含む回路がカレントミラー回路で構成されていて、互いに同一レベルの基準電流が供給されることを特徴とする電気光学装置。
【請求項９】
請求項１乃至８のいずれか１つに記載の電気光学装置において、
前記電気光学素子は、有機エレクトロルミネッセンス素子であることを特徴とする電気光学装置。
【請求項１０】
複数の走査線と、複数のデータ線と、前記複数の走査線と前記複数のデータ線との交差部に対応する位置に配置された電気光学素子を含む複数の画素とを含む複数の表示パネル部の集合体よりなる表示パネルと、
前記複数の表示パネル部の各々に設けられ、その対応する表示パネル部に設けられた前記複数の画素の発光階調を表す画像データに対応するデータ信号を、前記複数のデータ線を介して対応する前記画素に供給するデータ線駆動回路と、
前記複数の表示パネル部の各々に設けられ、その対応する表示パネル部に設けられた前記複数の走査線を適宜選択する走査線駆動回路と
を備えた電気光学装置の駆動方法であって、
前記対応する表示パネル部と他の表示パネル部とでは前記電気光学素子の発光期間を相違させるように制御することを特徴とする電気光学装置の駆動方法。
【請求項１１】
請求項１０に記載の電気光学装置の駆動方法において、
前記複数の表示パネル部毎の発光輝度差がなくなるように、対応する前記電気光学素子の発光期間を制御することを特徴とする電気光学装置の駆動方法。
【請求項１２】
請求項１０又は１１に記載の電気光学装置の駆動方法において、
前記電気光学素子の発光期間は、その電気光学素子を含む画素に対応するデータ線駆動回路の特性と、基準となるデータ線駆動回路の特性とを比較して一定の係数を求め、その係数に基づいてそれぞれ決定することを特徴とする電気光学装置の駆動方法。
【請求項１３】
請求項１０乃至１２のいずれか１つに記載の電気光学装置の駆動方法において、
前記複数の表示パネル部の各々に設けられた前記データ線駆動回路を、前記複数の表示パネル部からなる前記表示パネルを挟んでそれぞれ相対向する側であってそれぞれ対応する表示パネル部に隣接する側に配置して、それぞれ対応する表示パネル部に設けられた前記複数のデータ線を介して対応する前記画素にデータ信号を供給するようにしたことを特徴とする電気光学装置の駆動方法。
【請求項１４】
請求項１３に記載の電気光学装置の駆動方法において、
前記表示パネルの同じ側に設けられた複数のデータ線駆動回路に、前記データ信号を生成するために同一レベルの基準電流を供給することを特徴とする電気光学装置の駆動方法。
【請求項１５】
請求項１４に記載の電気光学装置の駆動方法において、
前記表示パネルの一側に設けられた複数のデータ線駆動回路の前記基準電流と、前記表示パネルの他側に設けられた複数のデータ線駆動回路の前記基準電流は異なることを特徴とする電気光学装置の駆動方法。
【請求項１６】
請求項１０乃至１５のいずれか１つに記載の電気光学装置の駆動方法において、
前記複数のデータ線駆動回路がデータ線を介して対応する画素に供給する画像データに対応するデータ信号は、データ電圧であることを特徴とする電気光学装置の駆動方法。
【請求項１７】
請求項１乃至９のいずれか１つに記載の電気光学装置を備えたことを特徴とする電子機器。
【発明の詳細な説明】
【技術分野】
【０００１】
本発明は、電気光学装置、及びその駆動方法、並びに電子機器に関するものである。
【背景技術】
【０００２】
有機エレクトロルミネッセンス素子を用いた表示装置の一つに、画素回路毎に有機エレクトロルミネッセンス素子を制御する駆動トランジスタを備えたアクティブマトリクス型表示装置がある。
【０００３】
この種の表示装置は、デジタルデータである画像データに応じたデータ電流を、データ線を介して前記画素回路に出力するデータ線駆動回路を備えている。このデータ線駆動回路は、その内部に複数のデジタル・アナログ変換回路を備えた単一ラインドライバを有しており、そのデジタル・アナログ変換回路にて前記画像データをアナログ信号であるデータ電流に変換した後に、データ線を介してそのデータ電流を各画素に出力する。
【０００４】
近年、ディスプレイパネルの大画面化を実現するにあたり、表示ライン、つまり走査線の本数を増加すると共に、データ線の本数を増加して画面の高精細化を行う必要が生じてきた。
【０００５】
そこで、データ線を複数の組に区分し、その区分した各組に対してそれぞれ駆動用ＩＣを設け、各駆動用ＩＣによってその対応する組の各データ線を制御する方法が提案されている（例えば、特許文献１）。
【０００６】
この特許文献１では、各駆動用ＩＣの製造バラツキを考慮し、発光駆動電流に基づいて各駆動用ＩＣ間の出力電流を制御し、均一な発光輝度を得るようにしている。
【特許文献１】特開２００１−４２８２７号公報
【発明の開示】
【発明が解決しようとする課題】
【０００７】
しかしながら、前記駆動用ＩＣ間のバラツキを抑える方法は、基準電流を制御するのではなく、発光駆動電流に基づいて出力電流を制御するものであり、画素ごとに発光駆動電流が異なるディスプレイパネルには適用できないという問題点があった。
【０００８】
又、ディスプレイの大画面化に伴い、各データ線が長くなり、データ線が長くなることによって配線抵抗及び配線容量の増大が大きな問題となる。つまり、駆動用ＩＣに近い画素回路では、データ電流が正確にかつ短時間に書き込むことができる。しかし、駆動用ＩＣから遠い画素回路では、データ電流の書き込みに時間を要す。特に輝度が低い、すなわち小さな値のデータ電流の場合、駆動用ＩＣから遠いほど、正確にデータ電流を書き込めないという問題もあった。
【０００９】
本発明は、上記問題点を解消するためになされたものであって、その目的は、高精細で表示品位の高い電気光学装置、及びその駆動方法、並びに電子機器を提供することにある。
【課題を解決するための手段】
【００１０】
本発明の電気光学装置は、複数の走査線と、複数のデータ線と、前記複数の走査線と前記複数のデータ線との交差部に対応する位置に配置された電気光学素子を含む複数の画素とを含む複数の表示パネル部の集合体よりなる表示パネルと、前記複数の表示パネル部の
各々に設けられ、その対応する表示パネル部に設けられた前記複数の画素の発光階調を表す画像データに対応するデータ信号を、前記複数のデータ線を介して対応する前記画素に供給するデータ線駆動回路と、前記複数の表示パネル部の各々に設けられ、その対応する表示パネル部に設けられた前記複数の走査線を適宜選択し、前記対応する表示パネル部と他の表示パネル部とでは前記電気光学素子の発光期間を相違させるように制御する走査線駆動回路とを備えた。
【００１１】
これによれば、各表示パネル部毎に電気光学素子の発光期間を調整することが可能となることから、各表示パネル間での表示むらを抑制することができ、高精細で表示品位を高くすることができる。
【００１２】
この電気光学装置において、前記複数の表示パネル部の各々に設けられた前記各走査線駆動回路は、各表示パネル部毎の発光輝度差がなくなるように、対応する前記電気光学素子の発光期間を制御してもよい。
これによれば、各表示パネル部間の輝度差が小さく抑えられるため、各表示パネル部間での表示むらを防止することができ、高精細で表示品位を高くすることができる。
【００１３】
この電気光学装置において、前記各走査線駆動回路が制御する前記電気光学素子の発光期間は、その電気光学素子を含む画素に対応するデータ線駆動回路の特性と、基準となるデータ線駆動回路の特性とを比較して一定の係数を求め、その係数に基づいてそれぞれ決定してもよい。
【００１４】
これによれば、各データ線駆動回路の間で特性の誤差があっても、各表示パネル部間の輝度差が小さく抑えられるため、各表示パネル部間での表示むらを防止することができ、高精細で表示品位を高くすることができる。
【００１５】
この電気光学装置において、前記発光期間のデータを記憶するメモリを備え、前記各走査線駆動回路は前記メモリに記憶されたそれぞれ対応する発光期間のデータに基づいて発光期間を決定してもよい。
【００１６】
これによれば、各走査線駆動回路は、メモリに記憶したそれぞれ対応する発光期間のデータに基づいて発光期間を決定することができる。しかも、メモリに発光期間のデータを記憶する構成なので、発光期間のデータを適宜変更して記憶することができる。
【００１７】
この電気光学装置において、前記複数の表示パネル部の各々に設けられた前記データ線駆動回路は、前記複数の表示パネル部からなる前記表示パネルを挟んでそれぞれ相対向する側であってそれぞれ対応する表示パネル部に隣接する側に配置され、それぞれ対応する表示パネル部に設けられた前記複数のデータ線を介して対応する前記画素にデータ信号を供給するようにしてもよい。
【００１８】
これによれば、データ線が延びる方向に表示パネルが大型化しても、そのデータ線の長さを短くすることが可能になる。よって、データ信号を正確にかつ短時間に書き込むことができる。
【００１９】
この電気光学装置において、前記表示パネルの同じ側に設けられた複数のデータ線駆動回路は、前記データ信号を生成するための基準電流が同一レベルの電流であってもよい。
これによれば、同じ側に設けられた複数のデータ線駆動回路複数の動作を一様にすることが可能になり、表示むらを抑制することが可能になる。
【００２０】
この電気光学装置において、前記表示パネルの一側に設けられた複数のデータ線駆動回
路の前記基準電流と、前記表示パネルの他側に設けられた複数のデータ線駆動回路の前記基準電流は異なってもよい。
これによれば、各表示パネル部毎の表示むらを抑制することが可能になる。
【００２１】
この電気光学装置において、前記表示パネルの同じ側に設けられた複数のデータ線駆動回路は、基準電流源含む回路がカレントミラー回路で構成されていて、互いに同一レベルの基準電流が供給されるようにしてもよい。
これによれば、一側及び他側にける複数のデータ線駆動回路の動作をそれぞれ一様にすることが可能になり、表示むらを抑制することが可能になる。
【００２２】
この電気光学装置において、前記電気光学素子は、有機エレクトロルミネッセンス素子であってもよい。
これによれば、有機エレクトロルミネッセンス素子を備えた電気光学装置の表示を高精細で品位を高くすることができる。
【００２３】
本発明の電気光学装置の駆動方法は、複数の走査線と、複数のデータ線と、前記複数の走査線と前記複数のデータ線との交差部に対応する位置に配置された電気光学素子を含む複数の画素とを含む複数の表示パネル部の集合体よりなる表示パネルと、前記複数の表示パネル部の各々に設けられ、その対応する表示パネル部に設けられた前記複数の画素の発光階調を表す画像データに対応するデータ信号を、前記複数のデータ線を介して対応する前記画素に供給するデータ線駆動回路と、前記複数の表示パネル部の各々に設けられ、その対応する表示パネル部に設けられた前記複数の走査線を適宜選択する走査線駆動回路とを備えた電気光学装置の駆動方法であって、前記対応する表示パネル部と他の表示パネル部とでは前記電気光学素子の発光期間を相違させるように制御する。
【００２４】
これによれば、各表示パネル部毎に電気光学素子の発光期間を調整することが可能となることから、各表示パネル間での表示むらを抑制することができ、高精細で表示品位を高くすることができる。
【００２５】
この電気光学装置の駆動方法において、前記複数の表示パネル部毎の発光輝度差がなくなるように、対応する前記電気光学素子の発光期間を制御してもよい。
これによれば、各表示パネル部間の輝度差が小さく抑えられるため、各表示パネル部間での表示むらを防止することができ、高精細で表示品位を高くすることができる。
【００２６】
この電気光学装置の駆動方法において、前記電気光学素子の発光期間は、その電気光学素子を含む画素に対応するデータ線駆動回路の特性と、基準となるデータ線駆動回路の特性とを比較して一定の係数を求め、その係数に基づいてそれぞれ決定してもよい。
【００２７】
これによれば、各データ線駆動回路の間で特性の誤差があっても、各表示パネル部間の輝度差が小さく抑えられるため、各表示パネル部間での表示むらを防止することができ、高精細で表示品位を高くすることができる。
【００２８】
この電気光学装置の駆動方法において、前記複数の表示パネル部の各々に設けられた前記データ線駆動回路を、前記複数の表示パネル部からなる前記表示パネルを挟んでそれぞれ相対向する側であってそれぞれ対応する表示パネル部に隣接する側に配置して、それぞれ対応する表示パネル部に設けられた前記複数のデータ線を介して対応する前記画素にデータ信号を供給するようにしてもよい。
【００２９】
これによれば、データ線が延びる方向に表示パネルが大型化しても、そのデータ線の長さを短くすることが可能になる。よって、データ信号を正確にかつ短時間に書き込むこと
ができる。
【００３０】
この電気光学装置の駆動方法において、前記表示パネルの同じ側に設けられた複数のデータ線駆動回路に、前記データ信号を生成するために同一レベルの基準電流を供給するようにしてもよい。
これによれば、同じ側に設けられた複数のデータ線駆動回路複数の動作を一様にすることが可能になり、表示むらを抑制することが可能になる。
【００３１】
この電気光学装置の駆動方法において、前記表示パネルの一側に設けられた複数のデータ線駆動回路の前記基準電流と、前記表示パネルの他側に設けられた複数のデータ線駆動回路の前記基準電流は異なるようにしてもよい。
これによれば、各表示パネル部毎の表示むらを抑制することが可能になる。
【００３２】
この電気光学装置の駆動方法において、前記複数のデータ線駆動回路がデータ線を介して対応する画素に供給する画像データに対応するデータ信号は、データ電圧であってもよい。
これによれば、画像データに対するデータ信号は、データ線駆動回路において電圧信号に変換されてデータ線に出力される。
【００３３】
本発明の電子機器は、上記電気光学装置を備えた。
これよれば、高精細で表示品位を高くした電子機器を得ることができる。
【発明を実施するための最良の形態】
【００３４】
（第１実施形態）
次に、本発明を具体化した第１実施形態を図１〜５に基づいて説明する。
図１は、有機エレクトロルミネッセンス表示装置の回路構成を示すブロック図である。電気光学装置としての有機エレクトロルミネッセンス表示装置１０は、表示パネル１１と、第１〜第４データ線駆動回路１２ａ〜１２ｄと、第１〜第４走査線駆動回路１３ａ〜１３ｄと、制御回路１４と、メモリ１５とを備えている。
【００３５】
表示パネル１１は、外部装置としてのコンピュータ２０からの表示データに基づく画像が表示される。表示パネル１１は、上下左右に４つに区分され、上部左側を第１表示パネル部１１ａ、上部右側を第２表示パネル部１１ｂ、下部左側を第３表示パネル部１１ｃ、下部右側を第４表示パネル部１１ｄとしている。本実施形態では、表示パネル１１を構成する４つの第１〜第４表示パネル部１１ａ〜１１ｄは、それぞれ異なるガラス基板上に後記する画素回路がマトリクス状に配置形成され、それぞれ対応する第１〜第４データ線駆動回路１２ａ〜１２ｄと第１〜第４走査線駆動回路１３ａ〜１３ｄが隣接した位置に設けられている。そして、このように独立した第１〜第４表示パネル部１１ａ〜１１ｄを組み合わせることによって一つに表示パネル１１を形成している。つまり、表示パネル１１は、４つの独立した第１〜第４表示パネル部１１ａ〜１１ｄの集合体で構成されている。
【００３６】
図２は表示パネル１１に形成される電気的構成を示す。第１表示パネル部１１ａには、行方向に延びるＮ本（Ｎは１〜ｉ：ｉは自然数）の走査線Ｙａ１〜ＹａＮが形成されているとともに、列方向に延びるＭ本（Ｍは１〜ｊ：ｊは自然数）のデータ線Ｘａ１〜ＸａＭが形成されている。そして、第１表示パネル部１１ａにおいて、走査線Ｙａ１〜ＹａＮとデータ線Ｘａ１〜ＸａＭとの交差部に対応した位置に画素回路３０が設けられ、各画素回路３０はそれぞれ対応する走査線Ｙａ１〜ＹａＮとデータ線Ｘａ１〜ＸａＭと電気的に接続されている。
【００３７】
また、第２表示パネル部１１ｂには、行方向に延びるＮ本（Ｎは１〜ｉ：ｉは自然数）
の走査線Ｙｂ１〜ＹｂＮが形成されているとともに、列方向に延びるＭ本（Ｍは１〜ｊ：ｊは自然数）のデータ線Ｘｂ１〜ＸｂＭが形成されている。そして、第２表示パネル部１１ｂにおいて、走査線Ｙｂ１〜ＹｂＮとデータ線Ｘｂ１〜ＸｂＭとの交差部に対応した位置に画素回路３０が設けられ、各画素回路３０はそれぞれ対応する走査線Ｙｂ１〜ＹｂＮとデータ線Ｘｂ１〜ＸｂＭと電気的に接続されている。
【００３８】
さらに、第３表示パネル部１１ｃには、行方向に延びるＮ本（Ｎは１〜ｉ：ｉは自然数）の走査線Ｙｃ１〜ＹｃＮが形成されているとともに、列方向に延びるＭ本（Ｍは１〜ｊ：ｊは自然数）のデータ線Ｘｃ１〜ＸｃＭが形成されている。そして、第３表示パネル部１１ｃにおいて、走査線Ｙｃ１〜ＹｃＮとデータ線Ｘｃ１〜ＸｃＭとの交差部に対応した位置に画素回路３０が設けられ、各画素回路３０はそれぞれ対応する走査線Ｙｃ１〜ＹｃＮとデータ線Ｘｃ１〜ＸｃＭと電気的に接続されている。
【００３９】
さらにまた、第４表示パネル部１１ｄには、行方向に延びるＮ本（Ｎは１〜ｉ：ｉは自然数）の走査線Ｙｄ１〜ＹｄＮが形成されているとともに、列方向に延びるＭ本（Ｍは１〜ｊ：ｊは自然数）のデータ線Ｘｄ１〜ＸｄＭが形成されている。そして、第４表示パネル部１１ｄにおいて、走査線Ｙｄ１〜ＹｄＮとデータ線Ｘｄ１〜ＸｄＭとの交差部に対応した位置に画素回路３０が設けられ、各画素回路３０はそれぞれ対応する走査線Ｙｄ１〜ＹｄＮとデータ線Ｘｄ１〜ＸｄＭと電気的に接続されている。
【００４０】
次に、第１〜第４表示パネル部１１ａ〜１１ｄに形成された画素回路３０について図３に従って説明する。なお、第１〜第４表示パネル部１１ａ〜１１ｄの画素回路３０は、それぞれ接続するデータ線と走査線が相違するだけで、その内部構成は本実施形態では実質的に同じである。従って、説明の便宜上、第１表示パネル部１１ａにおける走査線Ｙａ１とデータ線Ｘａ１との交差部に対応した位置の画素回路３０についてのみ説明し、他の画素回路３０については詳細な説明を省略する。
【００４１】
図３は、画素回路３０の内部構成を示す回路図である。画素回路３０は、電気光学素子としての有機エレクトロルミネッセンス素子３６、第１〜第４のトランジスタ３１〜３４と、保持キャパシタ３５とを有している。保持キャパシタ３５は、データ線Ｘａ１を介して供給されたデータ信号に応じた電荷を保持し、これによって、有機エレクトロルミネッセンス素子３６の発光の階調を調節するためのものである。換言すれば、保持キャパシタ３５は、データ線Ｘａ１に流れる電流に応じた電圧を保持する。第１〜第３のトランジスタ３１〜３３はｎチャンネル型ＴＦＴ（薄膜トランジスタ）であり、第４のトランジスタ３４はｐチャンネル型ＴＦＴ（薄膜トランジスタ）である。有機エレクトロルミネッセンス素子３６は、フォトダイオードと同様の電流駆動型の発光素子なので、ここではダイオードの記号で描かれている。
【００４２】
第１のトランジスタ３１のソースは、第２〜第４のトランジスタ３２〜３４の各ドレインとそれぞれ接続されている。第１のトランジスタ３１のドレインは、第４のトランジスタ３４のゲートに接続されている。保持キャパシタ３５は、第４のトランジスタ３４のソースとゲートとの間に接続されている。また、第４のトランジスタ３４のソースは、電源電圧ＶＯＥＬにも接続されている。
【００４３】
第２のトランジスタ３２のソースは、データ線Ｘａ１を介して第１データ線駆動回路１２ａの後述する単一ラインドライバ５０に接続されている。有機エレクトロルミネッセンス素子３６は、その陽極が第３のトランジスタ３３のソースに接続され陰極が接地されている。
【００４４】
第１のトランジスタ３１と第２のトランジスタ３２のゲートは、走査線Ｙａ１を構成す
る第１のサブ走査線Ｙａ１１に共通に接続され、データ書込み用の第１走査信号ＳＣａ１１が入力される。また、第３のトランジスタ３３のゲートは、走査線Ｙａ１を構成する第２のサブ走査線Ｙａ１２に接続され、発光期間設定用の第２走査信号ＳＣａ１２が入力される。
【００４５】
第１のトランジスタ３１と第２のトランジスタ３２は、保持キャパシタ３５に電荷を蓄積する際に使用されるスイッチングトランジスタである。第３のトランジスタ３３は、有機エレクトロルミネッセンス素子３６の発光期間においてオン状態に保たれるスイッチングトランジスタである。また、第４のトランジスタ３４は、有機エレクトロルミネッセンス素子３６に流れる電流値を制御するための駆動トランジスタである。第４のトランジスタ３４の電流値は、保持キャパシタ３５に保持される電荷量によって制御される。
【００４６】
図４は、画素回路３０の動作を示すタイミングチャートである。ここでは、第１のサブ走査線Ｙａ１１を介して入力される走査信号ＳＣａ１１、第２のサブ走査線Ｙａ１２を介して入力される走査信号ＳＣａ１２と、データ線Ｘａ１を介して入力されるデータ信号（データ電流値Ｉoutａ１）と、有機エレクトロルミネッセンス素子３６に流れる電流値Ｉ
ＥＬａ１とが示されている。
【００４７】
又、Ｔｃは１フレーム期間であって、全ての走査線が一巡して選択され終わる期間である。本実施形態では、表示パネル１１は第１〜第４表示パネル部１１ａ〜１１ｄで構成し、第１〜第４表示パネル部１１ａ〜１１ｄにおいて互いに同期をとってそれぞれ独立に表示動作を行って１つの画像を表示するようにしている。従って、１フレーム期間Ｔｃは第１〜第４表示パネル部１１ａ〜１１ｄにおいて、同時にＮ本の走査線Ｙａ１〜ＹａＮ、Ｙｂ１〜ＹｂＮ、Ｙｃ１〜ＹｃＮ、Ｙｄ１〜ＹｄＮが一巡して選択され終わる期間である。Ｔｐｒはプログラム期間であって、有機エレクトロルミネッセンス素子３６の発光階調を画素回路３０内に設定する期間であり、第１のサブ走査線Ｙａ１１を介して入力されるデータ書込み用の第１走査信号ＳＣａ１１によって決定される。Ｔｅｌは発光期間であって、有機エレクトロルミネッセンス素子３６が発光する期間であり、第２のサブ走査線Ｙａ１２を介して入力される発光期間設定用の第２走査信号ＳＣａ１２によって決定される。
【００４８】
プログラム期間Ｔｐｒでは、後述する第１データ線駆動回路１２ａからデータ線Ｘａ１上に発光階調に応じたデータ信号を出力しながら、後述する第１走査線駆動回路１３ａから第１のサブ走査線Ｙａ１１上にＨレベルの走査信号ＳＣａ１１が出力される。すると、第１及び第２のトランジスタ３１、３２がオン状態になる。このとき、第１データ線駆動回路１２ａの単一ラインドライバ５０は、発光階調に応じたデータ電流値Ｉoutａ１ を流す可変定電流源として機能する。そして、保持キャパシタ３５には、データ電流値Ｉout
ａ１ に対応した電荷が保持され、プログラム期間Ｔｐｒは終了する。この結果、第４の
トランジスタ３４のソース／ゲート間には、保持キャパシタ３５に記憶された電圧が印加される。
【００４９】
プログラム期間Ｔｐｒが終了すると、走査信号ＳＣａ１１がＬレベルとなり、第１のトランジスタ３１と第２のトランジスタ３２がオフ状態となる。また、第１データ線駆動回路１２ａはその画素回路のためのデータ信号（電流値Ｉoutａ１） の供給を停止する。
【００５０】
続いて、発光期間Ｔｅｌでは、走査信号ＳＣａ１１をＬレベルに維持して第１及び第２のトランジスタ３１，３２をオフ状態に保ったまま、第１走査線駆動回路１３ａから第２のサブ走査線Ｙａ１２にＨレベルの走査信号ＳＣａ１２を出力して第３のトランジスタ３３をオン状態に設定する。
【００５１】
保持キャパシタ３５には、データ信号（データ電流値Ｉoutａ１） に対応した電荷が予
め保持されている。そのため、第４のトランジスタ３４にはデータ電流値Ｉou tａ１ と
ほぼ同じ電流が流れ、その電流は第３のトランジスタ３３を有機エレクトロルミネッセンス素子３６に流れる。従って、有機エレクトロルミネッセンス素子３６は、発光期間Ｔｅｌの間、データ信号（データ電流値Ｉoutａ１） に応じた階調で発光する。
【００５２】
第１表示パネル部１１ａの各データ線Ｘａ１〜ＸａＭは、第１データ線駆動回路１２ａに接続されている。第２表示パネル部１１ｂの各データ線Ｘｂ１〜ＸｂＭは、第２データ線駆動回路１２ｂに接続されている。第３表示パネル部１１ｃの各データ線Ｘｃ１〜ＸｃＭは、第３データ線駆動回路１２ｃに接続されている。第４表示パネル部１１ｄの各データ線Ｘｄ１〜ＸｄＭは、第４データ線駆動回路１２ｄに接続されている。
【００５３】
第１データ線駆動回路１２ａと第２データ線駆動回路１２ｂは、表示パネル１１に対し、図１及び図２に示すように、上側に、即ちそれぞれ対応する第１表示パネル部１１ａ及び第２表示パネル部１１ｂに隣接した位置に設けられている。一方、第３データ線駆動回路１２ｃと第４データ線駆動回路１２ｄは、表示パネル１１に対し、図１及び図２に示すように、下側に、即ちそれぞれ対応する第３表示パネル部１１ｃ及び第４表示パネル部１１ｄに隣接した位置に設けられている。
【００５４】
第１データ線駆動回路１２ａは、各データ線Ｘａ１〜ＸａＭに対して単一ラインドライバ５０を備え、各単一ラインドライバ５０は、対応するデータ線Ｘａ１〜ＸａＭに対して、データ信号（データ電流値Ｉｍａ１〜ＩｍａＭ）をそれぞれ生成し供給する。第１データ線駆動回路１２ａは、制御回路１４から水平同期信号ＨＳＹＮＣ及び画像データを入力する。第１データ線駆動回路１２ａは、水平同期信号ＨＳＹＮＣに応答して、一つの走査線上の画素回路３０群の画像データを保持するとともに、その保持した画像データを単一ラインドライバ５０にてデータ信号に変換して、各データ線Ｘａ１〜ＸａＭにそれぞれ出力する。つまり、第１データ線駆動回路１２ａは、水平同期信号ＨＳＹＮＣに応答して、走査線駆動回路１３ａで選択した第１表示パネル部１１ａの走査線上の各画素回路３０群にデータ信号を供給する。
【００５５】
第２データ線駆動回路１２ｂは、第２表示パネル部１１ｂの各データ線Ｘｂ１〜ＸｂＭに対して、それぞれデータ信号を供給する。第２データ線駆動回路１２ｂは各データ線Ｘｂ１〜ＸｂＭに対して第１データ線駆動回路１２ａと同様に単一ラインドライバ５０を備えている。単一ラインドライバ５０は、対応するデータ線Ｘｂ１〜ＸｂＭに対して、データ線信号（データ電流値Ｉｍｂ１〜ＩｍｂＭ）をそれぞれ生成し供給する。第２データ線駆動回路１２ｂは、制御回路１４から水平同期信号ＨＳＹＮＣ及び画像データを入力する。第２データ線駆動回路１２ｂは、水平同期信号ＨＳＹＮＣに応答して、一つの走査線上の画素回路３０ｂ群の画像データを保持するとともに、その保持した画像データを単一ラインドライバ５０にてデータ信号に変換して、各データ線Ｘｂ１〜ＸｂＭにそれぞれ出力する。つまり、第２データ線駆動回路１２ｂは、水平同期信号ＨＳＹＮＣに応答して、第２走査線駆動回路１３ｂで選択した第２表示パネル部１１ｂの走査線上の各画素回路３０ｂ群にデータ信号を供給する。
【００５６】
第３データ線駆動回路１２ｃは、第３表示パネル部１１ｃの各データ線Ｘｃ１〜ＸｃＭに対して、それぞれデータ信号を供給する。第３データ線駆動回路１２ｃは各データ線Ｘｃ１〜ＸｃＭに対して第１及び第２データ線駆動回路１２ａ，１２ｂと同様に単一ラインドライバ５０を備えている。単一ラインドライバ５０は、対応するデータ線Ｘｃ１〜ＸｃＭに対して、データ線信号（データ電流値Ｉｍｃ１〜ＩｍｃＭ）をそれぞれ生成し供給する。第３データ線駆動回路１２ｃは、制御回路１４から水平同期信号ＨＳＹＮＣ及び画像データを入力する。第３データ線駆動回路１２ｃは、水平同期信号ＨＳＹＮＣに応答して、一つの走査線上の画素回路３０ｃ群の画像データを保持するとともに、その保持した画
像データを単一ラインドライバ５０にてデータ信号に変換して、各データ線Ｘｃ１〜ＸｃＭにそれぞれ出力する。つまり、第３データ線駆動回路１２ｃは、水平同期信号ＨＳＹＮＣに応答して、第３走査線駆動回路１３ｃで選択した第３表示パネル部１１ｃの走査線上の各画素回路３０ｃ群にデータ信号を供給する。
【００５７】
第４データ線駆動回路１２ｄは、第４表示パネル部１１ｄの各データ線Ｘｄ１〜ＸｄＭに対して、それぞれデータ信号を供給する。第４データ線駆動回路１２ｄは各データ線Ｘｄ１〜ＸｄＭに対して第１〜第３データ線駆動回路１２ａ〜１２ｃと同様に単一ラインドライバ５０を備えている。単一ラインドライバ５０は、対応するデータ線Ｘｄ１〜ＸｄＭに対して、データ線信号（データ電流値Ｉｍｄ１〜ＩｍｄＭ）をそれぞれ生成し供給する。第４データ線駆動回路１２ｄは、制御回路１４から水平同期信号ＨＳＹＮＣ及び画像データを入力する。第４データ線駆動回路１２ｄは、水平同期信号ＨＳＹＮＣに応答して、一つの走査線上の画素回路３０ｄ群の画像データを保持するとともに、その保持した画像データを単一ラインドライバ５０にてデータ信号に変換して、各データ線Ｘｄ１〜ＸｄＭにそれぞれ出力する。つまり、第４データ線駆動回路１２ｄは、水平同期信号ＨＳＹＮＣに応答して、第４走査線駆動回路１３ｄで選択した第４表示パネル部１１ｄの走査線上の各画素回路３０ｄ群にデータ信号を供給する。
【００５８】
図２に示すように、第１表示パネル部１１ａの各走査線Ｙａ１〜ＹａＮは、第１走査線駆動回路１３ａに接続されている。第１走査線駆動回路１３ａは、Ｎ本の走査線Ｙａ１〜ＹａＮ中の走査線を順番に選択して、第１表示パネル部１１ａにある１行分の画素回路群を選択する。
【００５９】
第２表示パネル部１１ｂの各走査線Ｙｂ１〜ＹｂＮは、第２走査線駆動回路１３ｂに接続されている。第２走査線駆動回路１３ｂは、Ｎ本の走査線Ｙｂ１〜ＹｂＮ中の走査線を順番に選択して、第２表示パネル部１１ｂにある１行分の画素回路群を選択する。
【００６０】
第３表示パネル部１１ｃの各走査線Ｙｃ１〜ＹｃＮは、第３走査線駆動回路１３ｃに接続されている。第３走査線駆動回路１３ｃは、Ｎ本の走査線Ｙｃ１〜ＹｃＮ中の走査線を順番に選択して、第３表示パネル部１１ｃにある１行分の画素回路群を選択する。
【００６１】
第４表示パネル部１１ｄの各走査線Ｙｄ１〜ＹｄＮは、第４走査線駆動回路１３ｄに接続されている。第４走査線駆動回路１３ｄは、Ｎ本の走査線Ｙｄ１〜ＹｄＮ中の走査線を順番に選択して、第４表示パネル部１１ｄにある１行分の画素回路群を選択する。
【００６２】
第１〜第４走査線駆動回路１３ａ〜１３ｄは、対応する第１〜第４表示パネル部１１ａ〜１１ｄの各走査線Ｙａ１〜ＹａＮ、Ｙｂ１〜ＹｂＮ、Ｙｃ１〜ＹｃＮ、Ｙｄ１〜ＹｄＮを、互いにそれぞれ同期をとって独立に選択動作を行っている。従って、第１〜第４走査線駆動回路１３ａ〜１３ｄは、走査線Ｙａ１、Ｙｂ１、Ｙｃ１、Ｙｄ１から順に走査線ＹａＮ、ＹｂＮ、ＹｃＮ、ＹｄＮまで順番にそれぞれ選択する。その結果、第１〜第４走査線駆動回路１３ａ〜１３ｄは、第１〜第４表示パネル部１１ａ〜１１ｄの各走査線Ｙａ１〜ＹａＮ、Ｙｂ１〜ＹｂＮ、Ｙｃ１〜ＹｃＮ、Ｙｄ１〜ＹｄＮは、その対応する走査線が同じタイミングで選択されるようになっている。
【００６３】
第１〜第４走査線駆動回路１３ａ〜１３ｄは、制御回路１４から垂直同期信号ＶＳＹＮＣと水平同期信号ＨＳＹＮＣを入力する。各走査線駆動回路１３ａ〜１３ｄは、水平同期信号ＨＳＹＮＣに基づいて、対応する第１〜第４表示パネル部１１ａ〜１１ｄの各走査線Ｙａ１〜ＹａＮ、Ｙｂ１〜ＹｂＮ、Ｙｃ１〜ＹｃＮ、Ｙｄ１〜ＹｄＮをそれぞれ順番に選択するための走査信号をそれぞれ生成し出力する。
【００６４】
つまり、第１〜第４走査線駆動回路１３ａ〜１３ｄは、それぞれ対応する第１〜第４表示パネル部１１ａ〜１１ｄにおける前記プログラム期間Ｔｐｒを設定するデータ書込み用の第１走査信号と、発光期間Ｔｅｌを設定する発光期間設定用の第２走査信号を生成し出力する。
【００６５】
さらに、第１〜第４走査線駆動回路１３ａ〜１３ｄは、制御回路１４から発光期間制御信号を入力し、それぞれ対応する第１〜第４表示パネル部１１ａ〜１１ｄにおける前記発光期間Ｔｅｌを個々に変更することができるようになっている。具体的には、例えば、図４に示す第１走査線駆動回路１３ａの発光期間設定用の第２走査信号ＳＣａ１２を例にとれば、その第２走査信号ＳＣａ１２がＨレベルからＬレベルに立下がるタイミングを適宜変更でき、同様なことが第２〜第４走査線駆動回路１３ｂ〜１３ｄにおいても行われる。
【００６６】
これは、前記第１〜第４データ線駆動回路１２ａ〜１２ｄについて、例えば、製造バラツキ等によって、電気特性に差が生じる場合がある。電気特性に差が生じると、第１〜第４データ線駆動回路１２ａ〜１２ｄ毎で、画像データ（発光階調）に対するデータ信号（データ電流値）の特性が相違する。その結果、第１〜第４データ線駆動回路１２ａ〜１２ｄ毎で、画像データに対するデータ信号の特性が相違する場合、１フレームが同じ階調の画像データでも、第１〜第４データ線駆動回路１２ａ〜１２ｄ（第１〜第４表示パネル部１１ａ〜１１ｄ）毎で輝度が相違することになる。
【００６７】
例えば、図５に示すように、第１データ線駆動回路１２ａ、第２データ線駆動回路１２ｂ、第３データ線駆動回路１２ｃ、第４データ線駆動回路１２ｄの順で画像データ（発光階調）に対するデータ電流値が大きな値をとる場合を考える。この場合、同じ画像データ（発光階調）で比較すると、第１表示パネル部１１ａ、第２表示パネル部１１ｂ、第３表示パネル部１１ｃ、第４表示パネル部１１ｄの順で明るい表示となる。
【００６８】
そこで、各データ線駆動回路１２ａ〜１２ｄ毎に電気特性に差が生じる場合、各表示パネル部１１ａ〜１１ｄが一様に表示されるように、制御回路１４からの発光期間制御信号に基づいてその発光期間Ｔｅｌを各表示パネル部１１ａ〜１１ｄ毎にそれぞれ変更している。つまり、第１〜第４走査線駆動回路１３ａ〜１３ｄは、それぞれ発光期間制御信号に基づいて発光期間設定用の第２走査信号を生成し出力する。
【００６９】
なお、図５に示す場合において、画像データに対応するデータ信号について、第１表示パネル部１１ａの発光期間Ｔｅｌを基準に、第２表示パネル部１１ｂ、第３表示パネル部１１ｃ、第４表示パネル部１１ｄの順にその発光期間を短くする。これによって、画像データに対して大きなデータ信号が流れて明るい輝度を発する第２〜第４表示パネル部１１ｂ〜１１ｄの発光期間Ｔｅｌをそれぞれ短くして、第１表示パネル部１１ａとの輝度差を見かけ上無くすようにしている。
【００７０】
制御回路１４は、第１〜第４走査線駆動回路１３ａ〜１３ｄに対して垂直同期信号ＶＳＹＮＣと水平同期信号ＨＳＹＮＣを出力するとともに、前記第１〜第４データ線駆動回路１２ａ〜１２ｄに対して水平同期信号ＨＳＹＮＣを出力する。また、制御回路１４は、コンピュータ２０から前記表示パネル１１に画像を表示させるための表示データを入力し、その表示データに基づいて各画素回路３０の発光階調を決めるデジタルデータよりなる画像データを生成しメモリ１５に一時記憶する。制御回路１４は、１フレームの画像データを作成しメモリ１５に記憶すると、該１フレームの画像データを、第１〜第４表示パネル部１１ａ〜１１ｄで表示される画像データに区分する。そして、制御回路１４は、第１〜第４表示パネル部１１ａ〜１１ｄ毎にそれぞれ区分された画像データを、対応する第１〜第４データ線駆動回路１２ａ〜１２ｄに前記水平同期信号ＨＳＹＮＣとともに出力する。
【００７１】
又、制御回路１４は、第１〜第４表示パネル部１１ａ〜１１ｄの発光期間Ｔｅｌを決定する発光期間制御信号をそれぞれ生成し出力する。本実施形態では、第１〜第４表示パネル部１１ａ〜１１ｄの各発光期間Ｔｅｌの設定は、予め、該有機エレクトロルミネッセンス表示装置１０を出荷する前に検査を行い、図５に示す画像データに対するデータ信号の検査データを求める。
【００７２】
その求めた検査データに基づいて第１〜第４表示パネル部１１ａ〜１１ｄの発光期間Ｔｅｌがそれぞれ設定される。その設定した第１〜第４表示パネル部１１ａ〜１１ｄの各発光期間Ｔｅｌは、制御回路１４に内蔵されたメモリに保持される。そして、制御回路１４は、第１〜第４データ線駆動回路１２ａ〜１２ｄ毎に電気特性に差が生じても、メモリに保持された発光期間Ｔｅｌを使って第１〜第４表示パネル部１１ａ〜１１ｄが一様な輝度で表示されるための発光期間制御信号を各走査線駆動回路１３ａ〜１３ｄに出力する。
【００７３】
次に、上記のように構成した有機エレクトロルミネッセンス表示装置１０の作用について説明する。
制御回路１４は、１フレームの画像データを第１〜第４表示パネル部１１ａ〜１１ｄで表示される画像データに区分し、それぞれの画像データを対応する第１〜第４データ線駆動回路１２ａ〜１２ｄにそれぞれ出力する。従って、第１〜第４データ線駆動回路１２ａ〜１２ｄには、それぞれ対応する第１〜第４表示パネル部１１ａ〜１１ｄの画像データが、制御回路１４からそれぞれ順次入力される。
【００７４】
そして、例えば、第１〜第４走査線駆動回路１３ａ〜１３ｄが、データ書込み用の第１走査信号を出力して、それぞれ第１〜第４表示パネル部１１ａ〜１１ｄの走査線Ｙａ１、Ｙｂ１、Ｙｃ１、Ｙｄ１をそれぞれ選択する。第１〜第４表示パネル部１１ａ〜１１ｄの走査線がそれぞれ選択されると、第１〜第４データ線駆動回路１２ａ〜１２ｄは、選択された走査線上の各画素回路３０、３０ｂ、３０ｃ、３０ｄにそれぞれデータ線を介してそれぞれの画像データに対応するデータ信号を出力する。その結果、第１〜第４表示パネル部１１ａ〜１１ｄにおいて、選択された走査線上の各画素回路３０、３０ｂ、３０ｃ、３０ｄにそれぞれの画像データに対応するデータ信号がプログラムされる。プログラム期間Ｔｐｒが経過すると、第１〜第４走査線駆動回路１３ａ〜１３ｄは、発光期間設定用の第２走査信号を出力し、走査線上に各画素回路３０、３０ｂ、３０ｃ、３０ｄの有機エレクトロルミネッセンス素子３６をデータ信号に応じた輝度で発光させる。
【００７５】
これと同時に、第１〜第４走査線駆動回路１３ａ〜１３ｄは、次の走査線をそれぞれ選択し、前記と同様に、その選択した走査線上の各画素回路３０、３０ｂ、３０ｃ、３０ｄに対してそれぞれの第１〜第４データ線駆動回路１２ａ〜１２ｄからのデータ信号がプログラムされる。以後、同様な動作が、各表示パネル部１１ａ〜１１ｄの走査線ＹａＮ、ＹｂＮ、ＹｃＮ、ＹｄＮまで順番に行われ１フレームの画像が第１〜第４表示パネル部１１ａ〜１１ｄからなる表示パネル１１に表示される。
【００７６】
この時、第１〜第４走査線駆動回路１３ａ〜１３ｄは、それぞれ発光期間制御信号に基づいてそれぞれ前記発光期間設定用の第２走査信号のＨレベルからＬレベルの立下りタイミングを設定する。そして、第１〜第４走査線駆動回路１３ａ〜１３ｄは、設定した立下りタイミングで各第２のサブ走査線に出力している第２走査信号をＨレベルからＬレベルに立下げて、各走査線上の画素回路の有機エレクトロルミネッセンス素子３６の発光を停止させる。つまり、第１〜第４表示パネル部１１ａ〜１１ｄの発光期間Ｔｅｌは、それぞれ個別に設定される。
【００７７】
次に上記のように構成した有機エレクトロルミネッセンス表示装置１０の効果について詳述する。
（１）本実施形態では、表示パネル１１を第１〜第４表示パネル部１１ａ〜１１ｄの４つに区分し、その４つに区分した第１〜第４表示パネル部１１ａ〜１１ｄに対し第１〜第４データ線駆動回路１２ａ〜１２ｄをそれぞれ設けた。従って列方向及び行方向に表示パネル１１が大きくなっても（大画面化）、列方向に延びるデータ線の長さ及び行方向に延びる走査線の長さを短くできるため、データ信号を正確にかつ短時間で書き込むことができる。
【００７８】
（２）本実施形態では、制御回路１４は各走査線駆動回路１３ａ〜１３ｄに対して発光期間制御信号を出力するようにした。つまり、各データ線駆動回路１２ａ〜１２ｄの電気的特性がそれぞれ相違する場合、各表示パネル部１１ａ〜１１ｄの発光期間Ｔｅｌをそれぞれ異ならして表示パネル１１の全体の表示が一様に表示されるようにした。
【００７９】
従って、第１〜第４データ線駆動回路１２ａ〜１２ｄの電気特性にそれぞれ差が生じる場合であっても、第１〜第４表示パネル部１１ａ〜１１ｄとの間での表示むらを防止することができ、高精細で表示品位の高い画像表示ができる。
【００８０】
（３）本実施形態では、第１〜第４データ線駆動回路１２ａ〜１２ｄの電気的特性のばらつきを吸収するために、発光期間を変えるようにした。これを、第１〜第４表示パネル部１１ａ〜１１ｄの電気的特性のばらつきを吸収する場合にも応用することができる。つまり、例えば、データ線駆動回路からデータ線に供給される入力電流に対する発光輝度の特性が、第１〜第４表示パネル部１１ａ〜１１ｄ毎で異なる場合、発光期間Ｔｅｌを各表示パネル部１１ａ〜１１ｄ毎に変更する。
【００８１】
詳述すると、前記した図５において、横軸を画像データからデータ電流値に置き換え、縦軸をデータ電流値から発光輝度に置き換える。そして、第１表示パネル部１１ａ、第２表示パネル部１１ｂ、第３表示パネル部１１ｃ、第４表示パネル部１１ｄの順で、データ電流値に対する発光輝度が大きな値を取る場合を考える。この場合、第１表示パネル部１１ａの発光期間Ｔｅｌを基準に、第２表示パネル部１１ｂ、第３表示パネル部１１ｃ、第４表示パネル部１１ｄの順にその発光期間を短くする。
【００８２】
これによって、第１〜第４表示パネル部１１ａ〜１１ｄの電気特性にそれぞれ差が生じる場合であっても、第１〜第４表示パネル部１１ａ〜１１ｄとの間での表示むらを防止することもができ、高精細で表示品位の高い画像表示ができる。
【００８３】
（第２実施形態）
次に、本発明を具体化した第２実施形態を図面に基づいて説明する。本実施形態では、一つのガラス基板の複数の画素回路をマトリクス状に配置した表示パネルについて、上下２つに区分けしその区分けした上下２つの領域を第１及び第２表示パネル部としている点で前記実施形態と相違する。また、第１及び第２表示パネル部に属する画素回路に対してそれぞれデータ信号を供給するデータ線駆動回路及び走査線駆動回路の構成が第１実施形態と相違する、従って、その相違部分について詳細に説明する。
【００８４】
図６は、電気光学装置としての有機エレクトロルミネッセンス表示装置の回路構成を示すブロック図である。
有機エレクトロルミネッセンス表示装置１００は、一つのガラス基板の複数の画素回路をマトリクス状に配置形成した表示パネル１１を、上下２つに区分けし、その区分けした上側の領域を第１表示パネル部１１ａとし下側の領域を第２表示パネル部１１ｂとしている。
【００８５】
そして、表示パネル１１には、行方向に延びる２Ｎ本（Ｎは１〜ｉ：ｉは自然数）の走
査線Ｙａ１〜ＹａＮ、Ｙｂ１〜ＹｂＮが形成されている。そして、表示パネル１１の上半分の第１表示パネル部１１ａにはＮ本の走査線Ｙａ１〜ＹａＮが形成され、下半分の第２表示パネル部１１ｂにはＮ本の走査線Ｙｂ１〜ＹｂＮが形成されている。
【００８６】
表示パネル１１の第１表示パネル部１１ａ側には、それぞれ列方向に延びるＭ本（Ｍは１〜ｊ：ｊは自然数）のデータ線Ｘａ１〜ＸａＭが形成されている。また、表示パネル１１の第２表示パネル部１１ｂ側には、それぞれ列方向に延びるＭ本（Ｍは１〜ｊ：ｊは自然数）のデータ線Ｘｂ１〜ＸｂＭが形成されている。
【００８７】
そして、表示パネル１１の第１表示パネル部１１ａにおいて、走査線Ｙａ１〜ＹａＮとデータ線Ｘａ１〜ＸａＭとの交差部に対応した位置に画素回路３０が設けられている。又、表示パネル１１の第２表示パネル部１１ｂにおいて、走査線Ｙｂ１〜ＹｂＮとデータ線Ｘｂ１〜ＸｂＭとの交差部に対応した位置に画素回路３０が設けられている。
【００８８】
表示パネル１１の第１表示パネル部１１ａに形成されたＭ本のデータ線Ｘａ１〜ＸａＭは、複数の組（本実施形態では４組）に区分されている。そして、その区分された各組に対して１チップの半導体集積回路装置（ＩＣ）よりなる４つの第１データ線駆動回路１２ａ１〜１２ａ４が設けられている。４つの第１データ線駆動回路１２ａ１〜１２ａ４は、第１表示パネル部１１ａに形成されたＭ本のデータ線Ｘａ１〜ＸａＭのうちそれぞれ割り当てられたデータ線と接続されている。各第１データ線駆動回路１２ａ１〜１２ａ４はそれぞれ割り当てられたデータ線に対する画像データを制御回路１４から供給される。各第１データ線駆動回路１２ａ１〜１２ａ４は、それぞれ画像データに基づくデータ信号を対応するデータ線にそれぞれ供給するようになっている。４個の第１データ線駆動回路１２ａ１〜１２ａ４は、直列に接続され、各第１データ線駆動回路１２ａ１〜１２ａ４には、同じ値の基準電流Ｉｋ１が供給されその基準電流Ｉｋ１を使って画像データに基づくデータ信号が生成されるようになっている。
【００８９】
表示パネル１１の第２表示パネル部１１ｂ側の辺には、１チップの半導体集積回路装置（ＩＣ）よりなる４つの第２データ線駆動回路１２ｂ１〜１２ｂ４が設けられている。以下、第２表示パネル部１１ｂについても、前述した第１表示パネル部１１ａの場合と同様に説明できる。
【００９０】
図７は、第１データ線駆動回路１２ａ１〜１２ａ４の内部構成を示すブロック回路図である。
図７において、第１データ線駆動回路１２ａ１は、基準電流入力回路部４０、当該組のデータ線に対応する数のデジタル・アナログ変換回路部４１及び基準電流出力回路部４２を備えている。
【００９１】
基準電流入力回路部４０は、カレントミラー回路を有し、外部から基準信号を入力し、その基準信号に基づいて基準電流Ｉｋ１を生成する。各デジタル・アナログ変換回路部４１は、カレントミラー回路を備え、前記基準電流入力回路部４０にて生成された基準電流Ｉｋ１を使って画像データ（デジタル値）に対するデータ電流（アナログ値）をそれぞれ生成する。
【００９２】
基準電流出力回路部４２は、カレントミラー回路を備え、前記基準電流入力回路部４０にて生成された基準電流Ｉｋ１を使ってその基準電流Ｉｋ１と同じ電流値の電流を生成し、出力する。
【００９３】
そして、第１データ線駆動回路１２ａ２〜１２ａ４において、各第１データ線駆動回路１２ａ１〜１２ａ３の基準電流出力回路部４２は、それぞれ次段の第１データ線駆動回路
１２ａ２〜１２ａ４の基準電流入力回路部４０に接続される。
【００９４】
その結果、各第１データ線駆動回路１２ａ１〜１２ａ４に設けた各デジタル・アナログ変換回路部４１は、それぞれ同じ電流値の基準電流Ｉｋ１を使って画像データに対するデータ電流をそれぞれ生成することができる。
【００９５】
また、第２データ線駆動回路１２ｂ１〜１２ｂ４に供給される基準電流Ｉｋ２は、第１データ線駆動回路１２ａ１〜１２ａ４に供給されその基準電流Ｉｋ１とその値を異にしている。
【００９６】
各第２データ線駆動回路１２ｂ１〜１２ｂ４は、図７に示す前記第１データ線駆動回路１２ａ１〜１２ａ４の回路構成と同じ回路構成で構成され、前記と同様に直列に接続されている。そして、第１データ線駆動回路１２ａ１〜１２ａ４の基準電流入力回路にて、第１データ線駆動回路１２ａ１の基準電流Ｉｋ１と相違する値の基準電流Ｉｋ２を生成する。従って、各第２データ線駆動回路１２ｂ１〜１２ｂ４に設けた各デジタル・アナログ変換回路部は、それぞれ同じ電流値の基準電流Ｉｋ２に使って画像データに対するデータ電流をそれぞれ生成することができる。
【００９７】
走査線駆動回路１３は、２Ｎ本の走査線Ｙａ１〜ＹａＮ、Ｙｂ１〜ＹｂＮと接続されている。走査線駆動回路１３は、第１表示パネル部１１ａ側の画素回路及び第２表示パネル部１１ｂ側の画素回路の発光期間Ｔｅｌは共に同一で固定としている。つまり、本実施形態は、第１及び第２データ線駆動回路１２ａ１〜１２ａ４、１２ｂ１〜１２ｂ４が、それぞれ１チップの半導体集積回路装置（ＩＣ）で形成され電気的特性差が小さいこと、及び、供給される基準電流Ｉｋ１、Ｉｋ２を異なるように調整することができる。つまり、第１及び第２データ線駆動回路１２ａ１〜１２ａ４、１２ｂ１〜１２ｂ４において、画像データに対するデータ信号のばらつきを、供給される基準電流Ｉｋ１、Ｉｋ２を調整し補償することができ、発光期間Ｔｅｌを変更調整する必要がないからである。
【００９８】
本実施形態によれば、各第１及び第２データ線駆動回路１２ａ１〜１２ａ４、１２ｂ１〜１２ｂ４において、各デジタル・アナログ変換回路部４１が画像データに対するデータ電流を生成する時の基準電流Ｉｋ１、Ｉｋ２を、それぞれ調整するようにした。その結果、各第１及び第２データ線駆動回路１２ａ１〜１２ａ４、１２ｂ１〜１２ｂ４において、画像データに対するデータ電流を精度良く生成することができ、表示品位を向上させることができる。
【００９９】
特に、大画面の表示パネル１１において、データ線の数が増加し、各第１及び第２データ線駆動回路１２ａ１〜１２ａ４、１２ｂ１〜１２ｂ４の数が増加する場合には特に有効となる。
【０１００】
また、本実施形態では、第１表示パネル部１１ａ側に設けた第１データ線駆動回路１２ａ１〜１２ａ４に供給する基準電流Ｉｋ１と、第２表示パネル部１１ｂ側に設けた第２データ線駆動回路１２ｂ１〜１２ｂ４に供給する基準電流Ｉｋ２とを相違させることができるようにした。従って、第１及び第２データ線駆動回路１２ａ１〜１２ａ４、１２ｂ１〜１２ｂ４の特性の相違を補償し第１及び第２表示パネル部１１ａ、１１ｂとの間での表示むらを防止することができ、高精細で表示品位の高い画像表示ができる。
【０１０１】
尚、本実施形態では、一つの表示パネル１１において、第１表示パネル部１１ａ側の画素回路及び第２表示パネル部１１ｂ側の画素回路の発光期間Ｔｅｌは共に同一で固定とした。これを、第１表示パネル部１１ａと第２表示パネル部１１ｂとでその発光期間Ｔｅｌを、第１実施形態のように相違させてもよい。例えば、第１データ線駆動回路１２ａ１〜
１２ａ４の電気的特性と第２データ線駆動回路１２ｂ１〜１２ｂ４の電気的特性が相違する場合は、その特性に合わせてその発光期間Ｔｅｌを変更する。また、第１表示パネル部１１ａのデータ線Ｘａ１〜ＸａＭの長さと、第２表示パネル部１１ｂのデータ線Ｘｂ１〜ＸｂＭの長さが異なる表示パネル１１の場合、それぞれデータ線Ｘａ１〜ＸａＭ、Ｘｂ１〜ＸｂＭの配線抵抗及び配線容量にあわせてその発光期間Ｔｅｌを変更してもよい。
【０１０２】
（第３実施形態）
次に、前記各実施形態で説明した有機エレクトロルミネッセンス表示装置１０，１００を用いた電子機器について説明する。有機エレクトロルミネッセンス表示装置１０，１００は、テレビ、パーソナルコンピュータ、携帯電話、デジタルカメラ等の種々の電子機器に適用できる。
【０１０３】
図８は、大型のテレビ６０の斜視図である。この大型テレビ６０は、有機エレクトロルミネッセンス表示装置１０，１００を用いた大型テレビ用の表示ユニット６１と、スピーカー６２と、複数の操作ボタン６３とを備えている。この場合でも、有機エレクトロルミネッセンス表示装置１０，１００を用いた表示ユニット６１は、前記と同様な効果を発揮する。その結果、表示むらを防止することができ、高精細で表示品位の高い画像表示ができる大型テレビ６０を提供できる。
【０１０４】
なお、本発明の実施形態は上記の実施形態に限られるものではなく、以下のように変更してもよい。
・上記実施形態では、表示パネル１１を構成する第１〜第４表示パネル部１１ａ〜１１ｄの走査線の数及びデータ線をそれぞれ等しく構成した。これを、各表示パネル部１１ａ〜１１ｄ毎で異なるような構成の表示パネルに具体化してもよい。
【０１０５】
・上記実施形態では、第１〜第４表示パネル部１１ａ〜１１ｄは、それぞれ互いに同期して走査線をそれぞれ同時に一本ずつ選択するようにした。これを、例えば、第１及び第２表示パネル部１１ａ，１１ｂの走査線をそれぞれ同期させて順番に選択した後、第３及び第４表示パネル部１１ｃ，１１ｄの走査線をそれぞれ同期させて順番に選択するように実施してもよい。
【０１０６】
・上記実施形態では、データ線駆動回路１２ａ〜１２ｄ、１２ａ１〜１２ａ４、１２ｂ１〜１２ｂ４は、データ線に供給するデータ信号はデータ電流であった。これを、データ電圧で具体化してもよい。つまり、電圧駆動型のデータ線駆動回路においても、そのデータ線駆動回路毎に特性に誤差がある場合、同様に、補償することができる。
【０１０７】
・上記実施形態では、画素回路を有するアクティブマトリクス駆動法によって駆動される有機エレクトロルミネッセンス表示装置に具体化したが、画素回路を有さないパッシブ駆動法によって駆動される有機エレクトロルミネッセンス表示装置にも適用可能である。
【０１０８】
・上記実施形態では、デジタル・アナログ変換回路（ＤＡＣ）によってデータ電流（アナログ値）を生成しその生成したデータ電流に基づいて表示制御される表示パネル１１であったが、定電流書き込み型のデジタル階調制御（ＰＷＭ）等の表示パネルに応用してもよい。
【０１０９】
・上記実施例では、有機エレクトロルミネッセンス装置の例を説明したが、本発明は、有機エレクトロルミネッセンス素子３６以外の発光素子を用いた表示装置や電子装置にも適用可能である。例えば、駆動電流に応じて発光の階調が調整可能な他の種類の発光素子（ＬＥＤやＦＥＤ（Field Emission Display）など）を有する装置にも適用することができる。
【図面の簡単な説明】
【０１１０】
【図１】第１実施形態を説明するための有機エレクトロルミネッセンス装置の回路構成を示すブロック図。
【図２】表示パネル部の内部構成と第１〜第４走査線駆動回路と第１〜第４データ線駆動回路の関係を示すブロック図。
【図３】画素回路の内部構成を説明するための回路図。
【図４】画素回路の動作を示すタイミングチャート。
【図５】第１〜第４データ線駆動回路別の画像データに対するデータ電流特性を説明するための図。
【図６】第２実施形態を説明するための有機エレクトロルミネッセンス装置の回路構成を示すブロック図。
【図７】第１データ線駆動回路の内部構成を説明するための回路図。
【図８】第３実施形態を説明するためのテレビの斜視図。
【符号の説明】
【０１１１】
１０，１００…電気光学装置としての有機エレクトロルミネッセンス装置、１１…表示パネル、１１ａ…第１表示パネル部、１１ｂ…第２表示パネル部、１１ｃ…第３表示パネル部、１１ｄ…第４表示パネル部、１２ａ…第１データ線駆動回路、１２ｂ…第２データ線駆動回路、１２ｃ…第３データ線駆動回路、１２ｄ…第４データ線駆動回路、１２ａ１〜１２ａ４…第１データ線駆動回路、１２ｂ，１２ｂ１〜１２ｂ４…第２データ線駆動回路、１３ａ…第１走査線駆動回路、１３ｂ…第２走査線駆動回路、１３ｃ…第３走査線駆動回路、１３ｄ…第４走査線駆動回路、１４…制御回路、１５…メモリ、２０…コンピュータ、３０…画素回路、３１〜３４…トランジスタ、３５…保持キャパシタ、３６…有機エレクトロルミネッセンス素子、４０…基準電流入力回路部、４１…デジタル・アナログ変換回路部、４２…基準電流出力回路部、５０…単一ラインドライバ、６０…電子機器としてのテレビ、６１…表示ユニット、Ｉｋ１，Ｉｋ２…基準電流、Ｔｃ…１フレーム期間、Ｔｅｌ…発光期間、Ｔｐｒ…プログラム期間、Ｘａ１〜ＸａＭ，Ｘｂ１〜ＸｂＭ，Ｘｃ１〜ＸｃＭ，Ｘｄ１〜ＸｄＭ…データ線、Ｙａ１〜ＹａＮ，Ｙｂ１〜ＹｂＮ，Ｙｃ１〜ＹｃＮ，Ｙｄ１〜ＹｄＮ…走査線。
【図１】
2005049822.tif 000003
【図２】
2005049822.tif 000004
【図３】
2005049822.tif 000005
【図４】
2005049822.tif 000006
【図５】
2005049822.tif 000007
【図６】
2005049822.tif 000008
【図７】
2005049822.tif 000009
【図８】
2005049822.tif 000010